Podtech/llm-jp-corpus-v4-ja_patent huggingface dataset:
【手続補正書】
【提出日】平成16年11月1日(2004.11.1)
【手続補正１】
【補正対象書類名】明細書
【補正対象項目名】特許請求の範囲
【補正方法】変更
【補正の内容】
【特許請求の範囲】
【請求項１】  治療有効量の式：
【化１】
2004525079.tif 000001
（式中、Ｒ２およびＲ３は同一であっても異なっていてもよく、水素、非置換もしくは置換アルキル、アルケニル、アリール、アルコキシ、またはヘテロアリール基を示し、Ｍは、ナトリウム、カリウム、カルシウム、マグネシウム、バリウム、およびリチウムからなる群から選択されるアルカリ金属であり、ｎは該アルカリ金属の価数である）のジチオカルバマートチオラートアニオンを含む、ヒトの黒色腫、肺癌、直腸癌、結腸直腸癌、乳癌、膵臓癌、胃癌、膀胱癌、卵巣癌、子宮癌、リンパ腫および前立腺癌を治療し、Ｐ糖蛋白質膜毒素排出ポンプの遮断によって従来の癌化学療法に対する腫瘍の感受性を高め、Ｐ糖蛋白質膜毒素排出ポンプの遮断によって抗レトロウイルス治療に対するＡＩＤＳ患者の感受性を高め、心血管系に対する低酸素症または虚血による損傷を低減し、喘息または関節炎を治療するための組成物。
【請求項２】  前記ジチオカルバマートチオラートアニオンが、薬学的に許容可能な塩の形態である、請求項１に記載の組成物。
【請求項３】  前記ジチオカルバマートチオラートアニオンが、体重あたり約１２５ｍｇ／日〜約１０００ｍｇ／日の投薬量で含まれる、請求項１に記載の組成物。
【請求項４】  前記ジチオカルバマートチオラートアニオンが、約２５０ｍｇ／日〜約５００ｍｇ／日の投薬量で含まれる、請求項１に記載の組成物。
【請求項５】  前記ジチオカルバマートチオラートアニオンが非経口投与用である、請求項１に記載の組成物。
【請求項６】  前記ジチオカルバマートチオラートアニオンを経口投与用である、請求項１に記載の組成物。
【請求項７】  ヒ素、ビスマス、コバルト、銅、クロム、ガリウム、金、鉄、マンガン、ニッケル、銀、チタン、バナジウム、セレン、および亜鉛からなる群から選択される金属と、低分子量のアニオンとを含む金属錯体をさらに含む、請求項１に記載の組成物。
【請求項８】  ヒ素、ビスマス、コバルト、銅、クロム、ガリウム、金、鉄、マンガン、ニッケル、銀、チタン、バナジウム、セレン、および亜鉛からなる群から選択される金属のイオンを含む金属キレートをさらに含む、請求項１に記載の組成物。
【請求項９】  前記金属錯体が、有機アニオンとキレートを形成する、請求項７に記載の組成物。
【請求項１０】  前記有機アニオンが、クエン酸イオン、酢酸イオン、グリコン酸イオン、グリシン酸イオン、プロピオン酸イオン、および乳酸イオンからなる群から選択される、請求項９に記載の組成物。
【請求項１１】  ヒ素、ビスマス、コバルト、銅、クロム、ガリウム、金、鉄、マンガン、ニッケル、銀、チタン、バナジウム、セレン、および亜鉛からなる群から選択される金属のイオンと、低分子量のアニオンとを含む金属キレートをさらに含む、請求項１に記載の組成物。
【請求項１２】  治療有効量の式：
【化２】
2004525079.tif 000002
（式中、Ｒ2およびＲ3は同一であっても異なっていてもよく、水素、非置換もしくは置換アルキル、アルケニル、アリール、アルコキシ、またはヘテロアリール基を示し、Ｍは、ヒ素、ビスマス、ガリウム、マンガン、セレン、亜鉛、チタン、バナジウム、クロム、鉄、コバルト、ニッケル、銅、銀、銀、および金からなる群から選択される重金属であり、Ａｎは、塩素イオン、臭素イオン、ヨウ素イオン、酢酸イオン、および低分子量の有機または無機の薬学的に許容可能なアニオンからなる群から選択されるアニオンであり、ｎは金属の価数である）のジチオカルバマートチオラート金属錯体を含む、ヒトの黒色腫、肺癌、直腸癌、結腸直腸癌、乳癌、膵臓癌、胃癌、膀胱癌、卵巣癌、子宮癌、リンパ腫および前立腺癌を治療し、Ｐ糖蛋白質膜毒素排出ポンプの遮断によって従来の癌化学療法に対する腫瘍の感受性を高め、Ｐ糖蛋白質膜毒素排出ポンプの遮断によって抗レトロウイルス治療に対するＡＩＤＳ患者の感受性を高め、心血管系に対する低酸素症または虚血による損傷を低減し、喘息または関節炎を治療するための組成物。
【請求項１３】  前記ジチオカルバマートチオラート金属錯体が薬学的に許容可能な塩の形態である、請求項１２に記載の組成物。
【請求項１４】  前記ジチオカルバマートチオラート金属錯体が、体重あたり約１２５ｍｇ／日〜約１０００ｍｇ／日の投薬量で含まれる、請求項１２に記載の組成物。
【請求項１５】  前記ジチオカルバマートチオラート金属錯体が、約２５０ｍｇ／日〜約５００ｍｇ／日の投薬量で含まれる、請求項１２に記載の組成物。
【請求項１６】  前記ジチオカルバマートチオラート金属錯体が非経口投与用である、請求項１２に記載の組成物。
【請求項１７】  前記ジチオカルバマートチオラート金属錯体が経口投与用である、請求項１２に記載の組成物。
【請求項１８】  請求項１２に記載の組成物と、
有機アニオンを含む組成物と
を含むキットであって、ヒトの黒色腫、肺癌、直腸癌、結腸直腸癌、乳癌、膵臓癌、胃癌、膀胱癌、卵巣癌、子宮癌、リンパ腫および前立腺癌を治療し、Ｐ糖蛋白質膜毒素排出ポンプの遮断によって従来の癌化学療法に対する腫瘍の感受性を高め、Ｐ糖蛋白質膜毒素排出ポンプの遮断によって抗レトロウイルス治療に対するＡＩＤＳ患者の感受性を高め、心血管系に対する低酸素症または虚血による損傷を低減し、喘息または関節炎を治療するためのキット。
【請求項１９】  前記有機アニオンが、クエン酸イオン、酢酸イオン、グリコン酸イオン、グリシン酸イオン、プロピオン酸イオン、および乳酸イオンからなる群から選択される、請求項１８に記載のキット。
【手続補正書】
【提出日】平成17年4月18日(2005.4.18)
【手続補正１】
【補正対象書類名】特許請求の範囲
【補正対象項目名】全文
【補正方法】変更
【補正の内容】
【特許請求の範囲】
【請求項１】
(a) ヘパリンコファクターIIアゴニストと、
(b) 血小板GPIIb/IIIa受容体アンタゴニストとを組み合わせた薬剤であって、
ヘパリンコファクターIIアゴニストの量および血小板GPIIb/IIIa受容体アンタゴニストの量は、組み合わせた場合にトロンビン生成および血小板凝集を阻害するのに治療上効果的な量であることを特徴とする薬剤。
【請求項２】
ヘパリンコファクターIIアゴニストが硫酸化多糖類であることを特徴とする請求項１記載の薬剤。
【請求項３】
硫酸化多糖類が、L-イズロン酸→4,6-ジ-O硫酸化N-アセチル-D-ガラクトサミン二糖繰り返し単位を約25％以上有するデルマタン硫酸であることを特徴とする請求項２記載の薬剤。
【請求項４】
デルマタン硫酸が、L-イズロン酸→4,6-ジ-O-硫酸化N-アセチル-D-ガラクトサミン二糖繰り返し単位を約50％を越えて有することを特徴とする請求項３記載の薬剤。
【請求項５】
デルマタン硫酸が、約1,000ダルトンから約60,000ダルトンの分子量を有することを特徴とする請求項３記載の薬剤。
【請求項６】
デルマタン硫酸が、L-イズロン酸→4,6-ジ-O硫酸化N-アセチル-D-ガラクトサミン二糖繰り返し単位を約75％を越えて有することを特徴とする請求項５記載の薬剤。
【請求項７】
デルマタン硫酸が、約2,500ダルトンから約37,500ダルトンの分子量を有することを特徴とする請求項５記載の薬剤。
【請求項８】
血小板GPIIb/IIIa受容体アンタゴニストが、Mpr-(アセチミジル-Lys)-Gly-Asp-Trp-Phe-Cys-NH2、Mpr-(アセチミジル-Lys)-Cly-Asp-Trp-Phe-Pen-NH2、Mpr-(フェニルイミジル-Lys)-Gly-Asp-Trp-Phe-Pen-NH2、およびMpr-(フェニルイミジル-Lys)-Gly-Asp-Trp-Phe-Cys-NH2からなる群より選択される環状ヘプタペプチドであり、Mprがメルカプト・プロピオニルであることを特徴とする請求項３記載の薬剤。
【請求項９】
血小板GPIIb/IIIa受容体アンタゴニストが、[3(R)-[2ピペリジン-4-イル]エチル]-2-ピペリドン-1]アセチル-3(R)-メチル-b-アラニン、2(S)-[(p-トルエンスルホニル)アミノ]アミノ]-3-[[[5,6,7,8-テトラヒドロ-4-オキソ-5-[2-(ピペリジン-4-イル)エチル]-4H-ピラゾロ-[1,5-a][1,4]ジアゼピン-2-イル]カルボニル]-アミノ]プロピオン酸、5-[(4-ピペリジニル)メトキシ]-2-インドールカルボニル-2(S)-フェニルスルホニル-アミノ-b-アラニン、 2-S-(n-ブチルスルホニルアミノ)-3[4-ピペリジン-4-イル)ブチロキシフェニル]プロピオン酸塩酸塩、 (R)-メチル-3-[[[3-[4-(アミノイミノメチル)フェニル]-4,5-ジヒドロ-5-イソキサゾリル]アセチル]アミノ]-N-(ブトキシカルボニル)-L-アラニン  モノアセテート、ゼムロフィバン、オルボフィバン、エプチフィバタイドおよびそれらの混合物からなる群より選択されることを特徴とする請求項３記載の薬剤。
【手続補正書】
【提出日】平成17年5月27日(2005.5.27)
【手続補正１】
【補正対象書類名】明細書
【補正対象項目名】特許請求の範囲
【補正方法】変更
【補正の内容】
【特許請求の範囲】
【請求項１】
物理媒体を介してチャンネルに送信される信号を入力するように構成される第１のチューナ、及び前記第１のチューナから供給される信号を少なくとも第１の出力信号に変換するように構成される少なくとも第１の復号器を備える、特にセットトップボックスであるインタフェースユニットにおいて、第２のチューナから入力される信号を前記第１の出力信号と共存することができる第２の出力信号に変換するように構成される第２の復号器に信号を供給する前記第２のチューナを特徴とするインタフェースユニット。
【請求項２】
請求項１に記載のインタフェースユニットにおいて、前記インタフェースユニットは、放送送信及びアドレスデータを送信するネットワークに接続されるように構成されることを特徴とするインタフェースユニット。
【請求項３】
請求項１に記載のインタフェースユニットにおいて、前記チューナの少なくとも１つは、チャンネルを選択することによって、放送送信又はアドレスデータを選択的に入力するように構成されることを特徴とするインタフェースユニット。
【請求項４】
請求項１に記載のインタフェースユニットにおいて、前記第１の復号器は、前記第１のチューナにより入力される信号のデジタル表現を復号し、オーディオ若しくはビデオプレーヤ又はテレビジョンによりサポートされる形式で復号された信号を供給するように構成されることを特徴とするインタフェースユニット。
【請求項５】
請求項１に記載のインタフェースユニットにおいて、前記第２の復号器は、前記第１のチューナにより入力される信号のデジタル表現を復号し、データネットワーク通信用に配されるコンピュータによりサポートされるプロトコルに従って復号された信号を供給するように構成されることを特徴とするインタフェースユニット。
【請求項６】
請求項１に記載のインタフェースユニットにおいて、前記インタフェースユニットは、前記第１のチューナから供給される信号を出力信号に変換するように構成される第３の復号器を有することを特徴とするインタフェースユニット。
【請求項７】
請求項１に記載のインタフェースユニットにおいて、前記インタフェースユニットは、前記第１又は第３の復号器により復号される信号として前記第１の出力信号を供給するように構成されることを特徴とするインタフェースユニット。
【請求項８】
請求項６に記載のインタフェースユニットにおいて、前記第３の復号器は、前記第２のチューナにより入力される信号のデジタル表現を復号し、オーディオ若しくはビデオプレーヤ又はテレビジョンにより認識される形式で復号された信号を供給するように構成されることを特徴とするインタフェースユニット。
【請求項９】
請求項１に記載のインタフェースユニットにおいて、前記第３の復号器は、前記第２のチューナにより入力される信号のデジタル表現を復号し、データネットワーク通信用に配されるコンピュータによりサポートされるプロトコルに従って復号された信号を供給するように構成されることを特徴とするインタフェースユニット。
【請求項１０】
請求項９に記載のインタフェースユニットにおいて、コンピュータによりサポートされるプロトコルはインターネットプロトコルであることを特徴とするインタフェースユニット。
【手続補正２】
【補正対象書類名】図面
【補正対象項目名】図１
【補正方法】変更
【補正の内容】
【図１】
2004520788.tif 000001
【誤訳訂正書】
【提出日】平成18年2月1日(2006.2.1)
【誤訳訂正１】
【訂正対象書類名】明細書
【訂正対象項目名】特許請求の範囲
【訂正方法】変更
【訂正の内容】
【特許請求の範囲】
【請求項１】  配列番号：２に示すポリペプチド（ＩＬ-２２）を含有すると思われる試料から該ポリペプチドを検出する方法であって、前記試料と配列番号：３に示すポリペプチド（ＩＬ-１０Ｒβ）又は配列番号：４に示すポリペプチド（ＩＬ-２２Ｒ）を接触させ、前記試料中における配列番号：２に示すポリペプチド（ＩＬ-２２）と配列番号：３に示すポリペプチド（ＩＬ-１０Ｒβ）とのコンジュゲート（ＩＬ-２２／ＩＬ-１０Ｒβコンジュゲート）、又は配列番号：２に示すポリペプチド（ＩＬ-２２）と配列番号：４に示すポリペプチド（ＩＬ-２２Ｒ）とのコンジュゲート（ＩＬ-２２／ＩＬ-２２Ｒコンジュゲート）の形成を確かめることを含んでなる、前記コンジュゲートの形成が前記試料中での配列番号：２に示すポリペプチド（ＩＬ-２２）の存在を示す、方法。
【請求項２】  試料が配列番号：２に示すポリペプチド（ＩＬ-２２）を発現すると思われる細胞を含む、請求項１に記載の方法。
【請求項３】  配列番号：３に示すポリペプチド（ＩＬ-１０Ｒβ）が検出可能な標識で標識されているか、又は固体支持体に付着している、請求項１に記載の方法。
【請求項４】  配列番号：４に示すポリペプチド（ＩＬ-２２Ｒ）が検出可能な標識で標識されているか、又は固体支持体に付着している、請求項１に記載の方法。
【請求項５】  試料が哺乳動物由来である、請求項１に記載の方法。
【請求項６】  配列番号：２に示すポリペプチド（ＩＬ−２２）を検出することによって膵炎の存在を確かめる、請求項５に記載の方法。
【請求項７】  生物活性分子を配列番号：２に示すポリペプチド（ＩＬ−２２）を発現する細胞と結合させる方法であって、前記細胞を前記生物活性分子と結合している配列番号：４に示すポリペプチド（ＩＬ−２２Ｒ）又は配列番号：３に示すポリペプチド（ＩＬ-１０Ｒβ）と接触させて、配列番号：２に示すポリペプチド（ＩＬ−２２）と配列番号：４に示すポリペプチド（ＩＬ−２２Ｒ）、又は配列番号：２に示すポリペプチド（ＩＬ−２２）と配列番号：３に示すポリペプチド（ＩＬ-１０Ｒβ）とを結合させることを含んでなる、方法。
【請求項８】  前記生物活性分子が毒素、放射標識又は抗体である、請求項７に記載の方法。
【請求項９】  生物活性分子が配列番号：２に示すポリペプチド（ＩＬ−２２）を発現する細胞の死を引き起こす、請求項７に記載の方法。
【請求項１０】  配列番号：２に示すポリペプチド（ＩＬ−２２）を発現する細胞の少なくとも１つの生物学的活性を調節する方法であって、前記細胞を（ａ）配列番号：４に示すポリペプチド（ＩＬ−２２Ｒ）、（ｂ）配列番号：３に示すポリペプチド（ＩＬ-１０Ｒβ）、又は（ｃ）配列番号：２に示すポリペプチド（ＩＬ−２２）対する抗体（抗-ＩＬ-２２ポリペプチド抗体）と接触させることにより、前記（ａ）、（ｂ）、又は（ｃ）が配列番号：２に示すポリペプチド（ＩＬ−２２）と結合し、それによって、前記細胞の少なくとも１つの生物活性を調節することを含んでなる、方法。
【請求項１１】  配列番号：２に示すポリペプチド（ＩＬ−２２）を発現する細胞が死滅する、請求項１０に記載の方法。
【請求項１２】  配列番号：２に示すポリペプチドと配列番号：３に示すポリペプチドとのコンジュゲート（ＩＬ-２２／ＩＬ-１０Ｒβのコンジュゲート）、又は配列番号：２に示すポリペプチドと配列番号：４に示すポリペプチドとのコンジュゲート（ＩＬ-２２／ＩＬ-２２Ｒのコンジュゲート）の形成を阻害する化合物を同定する方法であって、（ａ）配列番号：２に示すポリペプチド（ＩＬ−２２）と、（ｂ）配列番号：３に示すポリペプチド（ＩＬ−１０Ｒβ）及び（ｃ）配列番号：４に示すポリペプチド（ＩＬ−２２Ｒ）とが相互作用するのに十分な条件と時間で、前記試験化合物を前記（ａ）、（ｂ）、及び（ｃ）を含むと思われる試料と接触させ、配列番号：２に示すポリペプチドと配列番号：３に示すポリペプチドとのコンジュゲート（ＩＬ-２２／ＩＬ-１０Ｒβのコンジュゲート）、又は配列番号：２に示すポリペプチドと配列番号：４に示すポリペプチドとのコンジュゲート（ＩＬ-２２／ＩＬ-２２Ｒのコンジュゲート）の形成が阻害されたか否かを測定することを含んでなる方法。
【請求項１３】  配列番号：２に示すポリペプチドの活性を制御する化合物を同定する方法であって、（ａ）配列番号：２に示すポリペプチド（ＩＬ−２２）と、（ｂ）配列番号：３に示すポリペプチド（ＩＬ−１０Ｒβ）及び（ｃ）配列番号：４に示すポリペプチド（ＩＬ−２２Ｒ）とが相互作用するのに十分な条件と時間において、試験化合物を前記（ａ）、（ｂ）及び（ｃ）を含む試料と接触させた場合における、配列番号：２に示すポリペプチドと配列番号：３に示すポリペプチドとのコンジュゲート（ＩＬ-２２／ＩＬ-１０Ｒβのコンジュゲート）、又は配列番号：２に示すポリペプチドと配列番号：４に示すポリペプチドとのコンジュゲート（ＩＬ-２２／ＩＬ-２２Ｒのコンジュゲート）の形成が、試験化合物を前記（ａ）、（ｂ）及び（ｃ）を含む試料と接触させない場合における前記コンジュゲートの形成と比較して低下したか否かを測定することによって配列番号：２に示すポリペプチドの活性を制御する化合物を同定する方法。
【請求項１４】  配列番号：２に示すポリペプチド（ＩＬ−２２）と特異的に結合する抗体を含んでなる、前記ポリペプチドを検出するための組成物。
【請求項１５】  請求項１４に記載の組成物を使用して、哺乳動物の膵臓から得た試験試料から配列番号：２（ＩＬ−２２）に示すポリペプチドを検出することによって、膵炎の存在を確かめる方法。
【誤訳訂正２】
【訂正対象書類名】明細書
【訂正対象項目名】０００４
【訂正方法】変更
【訂正の内容】
【０００４】
インターロイキン-２２（ＩＬ-２２）は、新しく同定された活性化Ｔ細胞によって産生されるサイトカイインであり、インターロイキン-１０（ＩＬ-１０）に関連する。ＩＬ−２２は、ＩＬ−１０Ｒβとしても知られているＣＲＦ２−４と、クラスIIサイトカインレセプターファミリーの新規メンバーであるインターロイキン-２２レセプター（ＩＬ-２２Ｒ）であるインターロイキン−２２レセプター（ＩＬ−２２Ｒ）から構成されるレセプター複合体を介してシグナル伝達する［Xieら., J. Biol. Chem.(2000)275, 31355-31339］。このレセプター複合体の中で、ＩＬ-２２Ｒβは発現は幾つかの組織で発現しているが、ＩＬ−２２Ｒの発現は極めて限定的であり、膵臓で高い発現を示す。このことは、ＩＬ−２２Ｒは、ＩＬ−２２の作用部位をコントロールしていることを示唆している。例えば、マウスＩＬ-２２は、急性膵炎にて過剰発現する遺伝子である膵炎関連タンパク質（ＰＡＰ１）を含む膵臓腺房細胞の幾つかの遺伝子の遺伝子発現の変化を誘導する［Iovannaら., J. Biol. Chem. (1991) 266, 24664-24669］。膵臓で高発現するレセプター複合体を介するＩＬ-２２シグナル伝達は、ＩＬ-２２は膵臓における免疫／炎症応答を調節し、膵炎を含む膵臓の疾患に関わっている可能性があることを示唆している。
【手続補正書】
【提出日】平成16年11月9日(2004.11.9)
【手続補正１】
【補正対象書類名】明細書
【補正対象項目名】０００７
【補正方法】変更
【補正の内容】
【０００７】
ドット／インチのアスペクト比は任意である。これはまた、組んで織りにしたデザインの結果である。織機での標準的なたて糸セッティングは、典型的には７エンド（ピック）／インチに固定される。よこ糸は可変で、例えば５，６，７，８，９，１０列／インチである。したがって、カーペットの密度を変化させる（厚くしたり薄くしたり、値段を高くまたは低くする、等々）ためには、安価なカーペットの場合は５列かける７エンド（３５ＤＰＩ）の織りを作るか、または非常に高価なカーペットの場合は１０列かける７エンド（７０ＤＰＩ）の織りを作る。非常に高価、上質、高級、及び高価格というのはすべて、おおよそ３２−３６ｏｚの重量、２／５６番手、０．５０インチのパイル高さ、および７×８から７×１０の列およびピック／インチのカーペットコンストラクションに共通の用語である。
【特許文献１】米国特許第5,560,972号明細書
【特許文献２】米国特許第5,939,166号明細書
【特許文献３】米国特許第6,089,007号明細書
【特許文献４】米国特許第5,198,277号明細書
【特許文献５】米国特許第5,443,881号明細書
【特許文献６】米国特許第5,567,257号明細書
【特許文献７】米国特許第5,616,200号明細書
【特許文献８】米国特許第5,616,210号明細書
【特許文献９】米国特許第5,693,400号明細書
【特許文献１０】米国特許第5,939,166号明細書
【手続補正書】
【提出日】平成17年6月21日(2005.6.21)
【手続補正１】
【補正対象書類名】特許請求の範囲
【補正対象項目名】全文
【補正方法】変更
【補正の内容】
【特許請求の範囲】
【請求項１】
主成分として乳製品を含有し、光路長１ｃｍの石英セルにおいて４００から８００ｎｍの範囲で測定した吸光度が１未満である、透明乳飲料。
【請求項２】
４００から８００ｎｍの範囲の吸光度が０．８未満である、請求項１記載の透明乳飲料。
【請求項３】
４００から８００ｎｍの範囲の吸光度が０．６未満である、請求項２記載の透明乳飲料。
【請求項４】
４００から８００ｎｍの範囲の吸光度が０．４未満である、請求項３記載の透明乳飲料。
【請求項５】
４００から８００ｎｍの範囲の吸光度が０．２未満である、請求項４記載の透明乳飲料。
【請求項６】
吸光度が６５４ｎｍで測定したものである、請求項１から５のいずれかの透明乳飲料。
【請求項７】
以下の工程：
ａ）酸性ｐＨの乳製品を提供する工程；
ｂ）該乳製品を温度処理および／または均質化に供する任意の工程、および、
ｃ）該乳製品のｐＨをほぼ中性に調整する工程、
を含む請求項１から６のいずれかに記載の透明乳飲料の製造方法。
【請求項８】
乳製品にさらに負に荷電した多糖を混合して酸性ｐＨの混合物を得る、請求項７に記載の方法。
【請求項９】
乳製品がＵＨＴ−処理した乳製品である、請求項７または８のいずれかに記載の方法。
【請求項１０】
製品がさらに、糖類、果汁、果物混合物、食品用等級の酸、安定剤、香料、着色剤、ノンカロリー甘味料、マルトデキストリン、非消化性繊維、栄養素からなる群から選択される１または複数の成分を含有する、請求項７から９のいずれかに記載の方法。
【請求項１１】
負に荷電した多糖が、ペクチン、アルギン酸、カルボキシメチルセルロースおよびポリグリコールアルギン酸からなる群から選択される、請求項８から１０のいずれかに記載の方法。
【請求項１２】
温度処理が低温殺菌処理である、請求項７から１１のいずれかに記載の方法。
【請求項１３】
均質化を１５０−２５０バールで行なう、請求項７から１２のいずれかに記載の方法。
【請求項１４】
ほぼ中性のｐＨがｐＨ６から７．５である、請求項７から１３のいずれかに記載の方法。
【請求項１５】
さらに、
ｄ）１回または複数回の１５０−２５０バールで行う均質化工程、
を含む、請求項７から１４のいずれかに記載の方法。
【請求項１６】
工程ｃ）の前に、飲料を冷却する、請求項７から１５のいずれかに記載の方法。
【請求項１７】
工程ｃ）の後に、飲料を冷却する、請求項７から１５のいずれかに記載の方法。
【請求項１８】
さらに飲料を乾燥させて透明乳飲料粉末を得る工程を含む、請求項７から１７のいずれかに記載の方法。
【請求項１９】
請求項７から１８のいずれかに記載の方法によって得られる透明乳飲料。
【請求項２０】
さらにアミノ酸調製物を含む栄養成分を含有する、請求項１９に記載の透明乳飲料。
【請求項２１】
さらに乳酸菌および／または体によい細菌を含有する、請求項１９または２０のいずれかに記載の透明乳飲料。
【請求項２２】
請求項１９から２１のいずれかに記載の透明乳飲料を乾燥させることによって得られる、透明乳飲料粉末。
【手続補正書】
【提出日】平成18年2月27日(2006.2.27)
【手続補正１】
【補正対象書類名】特許請求の範囲
【補正対象項目名】全文
【補正方法】変更
【補正の内容】
【特許請求の範囲】
【請求項１】
金型キャビティ（２８）が中に画定された金型と、流動可能な材料を該金型キャビティ（２８）に連絡させるためのノズル・アセンブリ（１０）とを有し、該ノズル・アセンブリ（１０）が、該ノズル・アセンブリ（１０）を通して該金型キャビティ（２８）への流動可能な材料の連絡を選択的に開始および停止するための可動バルブ部材（１８）を有する、改良された射出成形装置であって、該金型キャビティ（２８）に隣接して金型に取り付けられた取替え可能なインサート（４２）を含み、該取替え可能なインサート（４２）は、該ノズル・アセンブリ（１０）の溶融物チャネル（２０）を該金型キャビティ（２８）に連結する通路（４１）を有し、該通路（４１）は、該バルブ部材（１８）の端部分を受け入れて流動可能な材料の該金型キャビティ（２８）への連絡を停止させるための、該金型キャビティ（２８）に隣接する封止部分（２５）を有する、改良された射出成形装置。
【請求項２】
前記金型キャビティ（２８）が、前記取替え可能なインサート（４２）に隣接して位置する痕跡部形成部分（２６）を含む、請求項１に記載の装置。
【請求項３】
該痕跡部形成部分が、前記バルブ部材（１８）の断面積よりも大きな断面積を有する、請求項２に記載の装置。
【請求項４】
前記通路（４１）が第１部分と第２部分とを有し、該第２部分は前記封止部分（２５）である、請求項１に記載の装置。
【請求項５】
該第１部分が前記バルブ部材（１８）に対し実質的な隙間を有する、請求項４に記載の装置。
【請求項６】
前記バルブ部材（１８）が閉位置に至ると前記通路（４１）内の流動可能な使用材料を、前記バルブ部材（１８）に沿って押し戻すことができるように該ノズル・アセンブリ（１０）が構成されている、請求項１に記載の装置。
【請求項７】
前記バルブ部材（１８）が外側表面に少なくとも１つの凹部（５６）を含む、請求項６に記載の装置。
【請求項８】
射出成形のための装置であって、
金型キャビティ（２８）と、該金型キャビティ（２８）と連絡している流動可能な材料のための通路（４１）とを有するキャビティプレート（３４）と、
該通路（４１）内に移動可能に設けられ、該金型キャビティ（２８）への流動可能な材料の連絡を選択的に開始及び停止する可動バルブ部材（１８）を有するノズル・アセンブリ（１０）とを有し、
該通路（４１）には、該可動バルブ部材（１８）の端部を受けて該金型キャビティ（２８）への流動可能な材料の連絡を停止する封止部（２５）が該金型キャビティ（２８）に隣接して設けられており、
該金型キャビティ（２８）は、成形品の痕跡部を形成する痕跡形成部（２６）を含み、該可動バルブ部材（１８）の端面（２１）に対向する該痕跡形成部（２６）の断面は、該可動バルブ部材（１８）の端面（２１）より大きいことを特徴とする射出成形のための装置。
【請求項９】
金型キャビティ（２８）と、該金型キャビティ（２８）への流動可能な材料の連絡を選択的に開始及び停止する可動バルブ部材（１８）を収容するための通路（４１）と、成形品の痕跡部を形成する痕跡形成部（２６）とを有するキャビティプレート（３４）を含み、
該通路（４１）には、該可動バルブ部材（１８）の端部を受けて該金型キャビティ（２８）への流動可能な材料の連絡を停止する封止部（２５）が該痕跡形成部（２６）に隣接して設けられており、
該通路（４１）の封止部（２５）に隣接する該痕跡形成部（２６）の横断面は、該通路（４１）の封止部（２５）の横断面より大きいことを特徴とする射出成形のための装置。
【請求項１０】
金型キャビティ（２８）と、該金型キャビティ（２８）への流動可能な材料の連絡を選択的に開始及び停止する可動バルブ部材（１８）を収容するための通路（４１）と、成形品の痕跡部を形成する痕跡形成部（２６）とを有するキャビティプレート（３４）を含み、
該通路（４１）には、該可動バルブ部材（１８）の端部を受けて該金型キャビティ（２８）への流動可能な材料の連絡を停止する封止部（２５）が該痕跡形成部（２６）に隣接して設けられており、
該通路（４１）の封止部（２５）に隣接する該痕跡形成部（２６）の横断面は、これに対向する該可動バルブ部材（１８）の端面（２１）より大きいことを特徴とする射出成形のための装置。
【請求項１１】
請求項１ないし１０のいずれか一項に記載された装置を含む射出成形システム。
【手続補正書】
【提出日】平成17年10月13日(2005.10.13)
【手続補正１】
【補正対象書類名】特許請求の範囲
【補正対象項目名】全文
【補正方法】変更
【補正の内容】
【特許請求の範囲】
【請求項１】
ガス発生器であって：
複数のガス排出ノズルを有するハウジング；
複数の開口を有する、推進充填物を保持するための前記ハウシング内に位置する推進剤チャンバ；
前記推進剤充填物に点火するための開始剤；
前記推進剤充填物の燃焼生成物を濾過するための、前記複数の開口および前記複数のガス排出ノズルと連通するフィルター；および
前記フィルターおよび前記ガス排出ノズルと連通する、推進剤充填物のｍｏｌあたり０．１〜２．０ｍｏｌの水を含む水和したゼラチンの床を含み、
ここで、前記推進剤充填物の点火により生成したガスが、前記複数の開口を通って前記フィルター中に流れ、次に前記水和したゼラチンの床を通って、次に前記ハウジング中の前記排出ノズルを通って外方に流れる、
前記ガス発生器。
【請求項２】
水和したゼラチンが、複数のゼラチン状ビーズ中に含まれるゼラチン／水混合物である、請求項１に記載のガス発生器。
【請求項３】
水和したゼラチンが、無秩序の形状のゼラチンの凝集体である、請求項１に記載のガス発生器。
【請求項４】
エアバッグの解放および膨張を改善する方法であって：
ガス発生器内のガス発生組成物を点火して、燃焼生成物を形成し；
該燃焼生成物を少なくとも実質的に濾過して、濾過した燃焼生成物を形成し；
該濾過した燃焼生成物を、燃焼したガス発生剤組成物のｍｏｌあたり０．１〜２．０ｍｏｌの水を含む水和したゼラチンの床上を通過させて、湿潤化された濾過した燃焼物を生成し；
該湿潤化した濾過した燃焼生成物を、エアバッグ中に追い出す
段階を含む、前記方法。
【請求項５】
水和したゼラチンが、ガス発生剤組成物のｍｏｌあたり１．０ｍｏｌの水を含む、請求項４に記載の方法。
【請求項６】
エアバッグの解放および膨張を改善する方法であって：
ガス発生器内のガス発生組成物を点火して、燃焼生成物を形成し；
該燃焼生成物を少なくとも実質的に濾過して、濾過した燃焼生成物を形成し；
該濾過した燃焼生成物を湿潤化して、湿潤化された濾過した燃焼生成物を形成し；
該湿潤化された濾過した燃焼生成物を、エアバッグ中に追い出す
段階を含む、前記方法。
【請求項７】
湿潤化段階が、濾過した燃焼生成物を、水和したゼラチンの床上を通過させて、湿潤化された濾過した燃焼生成物を形成することを含む、請求項６に記載の方法。
【請求項８】
湿潤化段階が、濾過した燃焼生成物を、ゼラチンで被覆されたエアバッグ中に追い出して、湿潤化された濾過した燃焼生成物を形成することを含む、請求項６に記載の方法。
【請求項９】
ガス発生器を含む車両乗員拘束システムであって、
該ガス発生器は：
複数のガス排出ノズルを有するハウジング；
複数の開口を有する、推進充填物を保持するための前記ハウシング内に位置する推進剤チャンバ；
前記推進剤充填物に点火するための開始剤；
前記推進剤充填物の燃焼生成物を濾過するための、前記複数の開口および前記複数のガス排出ノズルと連通するフィルター；および
前記フィルターおよび前記ガス排出ノズルと連通する、推進剤充填物のｍｏｌあたり０．１〜２．０ｍｏｌの水を含む水和したゼラチンの床を含み、
ここで、前記推進剤充填物の点火により生成したガスが、前記複数の開口を通って前記フィルター中に流れ、次に前記水和したゼラチンの床を通って、次に前記ハウジング中の前記排出ノズルを通って外方に流れる、前記ガス発生器を含む車両乗員拘束システム。
【手続補正２】
【補正対象書類名】明細書
【補正対象項目名】０００７
【補正方法】変更
【補正の内容】
【０００７】
発明の概要
前記問題は、本発明の好ましい態様に従い、ゲルおよび水を含有し、従来のガスインフレータの推進チャンバの周囲に配置された複数のビーズを含むガス発生器またはエアバッグインフレータによって解決される。複数のビーズは、第一の広げられた金属フィルターと関連して、第二のフィルタおよび放射板（ｓｉｎｋ）、ならびに、エアバッグ解放剤として機能する。複数段階によって推進燃焼ガスを冷却し、ガス発生器内における十分な滞留時間を与えることによって、ＣＯおよびＮＯ平衡条件は、比較的低い、許容可能なＣＯおよびＮＯ濃度にシフトされる。同時に、湿潤化または水蒸気（ゼラチン／水マトリックスから放出される）の実質的に濾過された燃焼生成物への導入によって、インフレータと連通されているエアバッグを解放し、ふくらませるために要求される圧力を低減せしめる。
【手続補正３】
【補正対象書類名】明細書
【補正対象項目名】００１５
【補正方法】変更
【補正の内容】
【００１５】
作動の際には、推進剤チャンバ２２から放射状に流出するガスは、囲んでいるスラグスクリーン２８を通って流れ、そして曲がりくねって広がる金属メッシュ３６が充満しているプレナム３４に入る。ガス気流中の液体および固体の両方が、金属メッシュ３６を通って放射状に移動する間に冷却され、そして廃棄、または濾過される。次に、ガスは、第二の濾過スクリーン３２を通って放射状にビーズ４０に流入し、そこでガスはさらに冷却され濾過される。その後、ガスはビーズ４０の床を通って周囲を流れてバッフルチューブ３０の開口４８に入り、放射状に外部へ開口４８を通ってバッフルチューブ３０に入り、そこでセラミックフィルター４２を通り、ハウジング１２の排出ノズル１４を通って放射状に流出する。セラミックフィルターを所望しない場合には、湿潤化され、濾過された燃焼生成物が、バッフルチューブ３０を単に通過し、そしてそれと連通するエアバッグに入ることになる。
【手続補正４】
【補正対象書類名】明細書
【補正対象項目名】００２４
【補正方法】変更
【補正の内容】
【００２４】
あるいはまた、図４に示すように、すべての所与のインフレータは、インフレータと連通するエアバッグ内にコーティングまたは化合物としてゼラチン／水マトリックスを含むことができる。
【手続補正書】
【提出日】平成17年5月16日(2005.5.16)
【手続補正１】
【補正対象書類名】明細書
【補正対象項目名】特許請求の範囲
【補正方法】変更
【補正の内容】
【特許請求の範囲】
【請求項１】  （ａ）複数のピクセルを備えた光変調パネルであって、該複数のピクセルは前記光変調パネルにおける許容できるぼやけを定めるピクセルサイズを有する、光変調パネルと、
（ｂ）前記光変調パネルの画像を形成するための投影レンズであって、該投影レンズ及び前記許容できるぼやけが画像空間に焦点深度Ｄを定める、投影レンズと、
（ｃ）前記光変調パネルと前記投影レンズとの間に配置された、ある角度に傾斜した偏光スプリッターと、
を有し、
前記偏光スプリッターは、前記角度に傾斜するように配置された該偏光スプリッターによって生じる非点収差がＤ以下になるような厚さＴを有する、
光学装置。
【請求項２】  （ａ）  Ｄが約０．０５ミリメートルであることと、
（ｂ） Ｔが約０．１５ミリメートルであることと、
（ｃ） 前記偏光スプリッターが約４５°の角度に傾斜していることと、
の少なくとも１つを満足する、請求項１に記載の光学装置。
【請求項３】  （ａ） 前記偏光スプリッターがワイヤーグリッド偏光子であることと、
（ｂ） 前記偏光スプリッターが偏光コーティングを有することと、
（ｃ） 前記偏光スプリッターが偏光複屈折フィルムを有することと、
のいずれか１つを満足する、請求項１に記載の光学装置。
【請求項４】  照光装置をさらに有する、請求項１に記載の光学装置。
【請求項５】  前記照光装置と前記偏光スプリッターとの間に偏光子をさらに有する、請求項４に記載の光学装置。
【請求項６】  厚さが０．１５ミリメートル以下の基板を有するとともに、約４５°の角度に傾斜したときに生じる非点収差が０．０５ミリメートル以下である、偏光スプリッター。
【誤訳訂正書】
【提出日】平成18年4月4日(2006.4.4)
【誤訳訂正１】
【訂正対象書類名】特許請求の範囲
【訂正対象項目名】請求項１２
【訂正方法】変更
【訂正の内容】
【請求項１２】
第１の交流電圧波形と同時に、第２の交流電圧波形を、各電極へ印加する手段を備え、前記第２の交流電圧波形は、電極に対して互い違いに逆相交流電圧が印加されるような波形である請求項１〜１１いずれかに記載の素子。
【手続補正書】
【提出日】平成17年5月19日(2005.5.19)
【手続補正１】
【補正対象書類名】明細書
【補正対象項目名】特許請求の範囲
【補正方法】変更
【補正の内容】
【特許請求の範囲】
【請求項１】
同色の少なくとも第１の印刷ヘッド及び第２の印刷ヘッドを有するプリンタによってインクジェット印刷する方法であって、
上記第１の印刷ヘッドの第１のノズル及び上記第２の印刷ヘッドの第２のノズルをラスタ線上で移動する段階と、
上記ラスタ線が、上記第１のノズルによって部分的に印刷され、且つ、上記第２のノズルによって部分的に印刷されるよう上記第１の印刷ヘッドの上記第１のノズル及び上記第２の印刷ヘッドの上記第２のノズルから複数のインク滴を吐出する段階と、
上記第１の印刷ヘッドからの吐出のタイミングが上記第２の印刷ヘッドに対して変えられるよう上記印刷ヘッド夫々からのインク滴の吐出のタイミングを個別的に制御する段階と、
を有するインクジェット印刷方法。
【請求項２】
同色の少なくとも第１の印刷ヘッド及び第２の印刷ヘッドを有するプリンタによって印刷媒体にイメージを形成する方法であって、
複数の印刷線の少なくとも１つをなす複数のインク滴の数が上記第１の印刷ヘッド及び上記第２の印刷ヘッドの両方から付けられるよう、上記複数の印刷線の方向に上記第１の及び上記第２の印刷ヘッドから上記印刷媒体に複数のインク滴を付ける段階と、
上記第１の印刷ヘッドからの付着のタイミングが上記第２の印刷ヘッドからの付着のタイミングに対して変えられるよう少なくとも上記第１の印刷ヘッド及び上記第２の印刷ヘッドからのインク滴の付着のタイミングを個別的に制御する段階と、
を有するインクジェット印刷方法。
【請求項３】
オーバーラップするセグメントを含む少なくとも２つの共通色の印刷ヘッドを有するインクジェットプリンタにおいて印刷の質を改善する方法であって、
少なくとも１つのラスタ線は、上記少なくとも２つの印刷ヘッドの一方によって付けられる幾らかのインク滴と、上記少なくとも２つの印刷ヘッドの他方によって付けられる幾らかのインク滴を有するよう上記オーバーラップするセグメントにおいてノズル間をディザリングする段階を有する方法。
【請求項４】
少なくとも第１の及び第２の共通色の印刷ヘッドを有し、上記少なくとも第１の及び第２の共通色の印刷ヘッドは、各印刷ヘッドに他方の印刷ヘッドとオーバーラップしない第１のノズル領域を、各印刷ヘッドに他方の印刷ヘッドのノズル領域とオーバーラップする第２のノズル領域を画成するよう位置決めされるインクジェットプリンタにおいて印刷の質を改善する方法であって、
上記第１の印刷ヘッドで全てのインクを付ける状態から上記第２の印刷ヘッドで全てのインクを付ける状態に円滑に変化するよう、上記第１の印刷ヘッド及び上記第２の印刷ヘッドの上記第２のノズル領域間でインクの付着を割り当てる段階を有する方法。
【請求項５】
印刷キャリッジと、
多数の印刷されるラスタ線を形成するために不連続なインク滴を印刷媒体に付ける複数のノズルを夫々有する少なくとも２つの共通色の印刷ヘッドと、を有し、上記複数のノズルは、上記多数の印刷されるラスタ線に対して垂直に列をなして印刷ヘッドに通常配置されるインクジェットプリンタであって、
上記少なくとも２つの印刷ヘッドは、上記少なくとも２つの印刷ヘッドの一方の印刷ヘッドの複数のノズルのうちの少なくとも１つが上記少なくとも２つの印刷ヘッドの他方の印刷ヘッドの複数のノズルのうちの１つと同じ印刷線にインクを付けるように位置決めされるよう、上記印刷キャリッジに位置し、
上記多数の印刷されたラスタ線の少なくとも１つは、１つ以上の上記少なくとも２つの印刷ヘッドによって付けられるインク滴によって形成され、
更に、上記少なくとも２つの印刷ヘッドによって付けられる最適なタイミングをユーザが選択することを可能にする手段を有するインクジェットプリンタ。
【誤訳訂正書】
【提出日】平成18年4月21日(2006.4.21)
【誤訳訂正１】
【訂正対象書類名】明細書
【訂正対象項目名】０００９
【訂正方法】変更
【訂正の内容】
【０００９】
好ましくは本発明によれば、片面楔の作用面は、空隙により分離された放射状に配置された楔形状のブリッジを含む。
【誤訳訂正２】
【訂正対象書類名】特許請求の範囲
【訂正対象項目名】請求項１
【訂正方法】変更
【訂正の内容】
【請求項１】
周囲の側面は、円錐状の帯(3)及び天面(1)と円錐状の帯(3)との間の円筒状の帯(2)からなり、かつ該円錐状の帯(3)はその内側周囲壁に、片面楔(4)を有しており、その前面(5)は天面(1)に平行であり、その作用面(6)は円錐状の帯(3)に収斂しかつ空隙(8)により分離された放射状に配置された楔形状のブリッジ(7)を含むことを特徴とする、円形の天面及び周囲の側面を備えた、蓋部に取り外し可能な開口を有する飲料缶のための保護カバー。
【手続補正書】
【提出日】平成17年6月3日(2005.6.3)
【手続補正１】
【補正対象書類名】明細書
【補正対象項目名】特許請求の範囲
【補正方法】変更
【補正の内容】
【特許請求の範囲】  
【請求項１】  流体から病原体を濃縮し、そして回収するための方法であって、該方法は、以下の工程：
可撓性遠心分離チャンバを通して、該流体を連続的に供給する工程、
回転軸の周りで該チャンバを回転させることによって、該遠心分離チャンバを遠心力に供し、一方で、流体が、該流体中に含まれる病原体を該チャンバ内に濃縮するように、それを通して供給される、工程、および、
該チャンバを振盪させて、該チャンバ内に濃縮された病原体を再懸濁する工程、
を包含する、方法。
【請求項２】  前記チャンバを湾曲させる工程を包含する、請求項１に記載の方法。
【請求項３】  前記振盪させる工程が、手動で行われる、請求項１に記載の方法。
【請求項４】  前記可撓性遠心分離チャンバが細長であり、流体が、その実質的に一方の端部において該チャンバに導入され、そしてその実質的に他方の端部において回収される、請求項１に記載の方法。
【請求項５】  前記可撓性遠心分離チャンバが細長であり、流体が、その実質的に一方の端部において該チャンバに導入され、そして少なくとも約２回、容器長を横断した後に、その実質的に同じ端部において回収される、請求項１に記載の方法。
【請求項６】  前記チャンバが細長であり、かつ横断シールラインおよびセグメント規定シールラインを備え、該横断シールラインは、該チャンバを少なくとも２つのサブチャンバに分割し、各サブチャンバは、該横断シールラインに対してほぼ近位に入口および出口を備え、そして該セグメント規定シールラインは、該入口と該出口とを分離し、かつ該サブチャンバを通過する流体のための、第一流路セグメントおよび第二流路セグメントを規定する、請求項１に記載の方法。
【請求項７】  前記チャンバが、面するプラスチックシートの対によって規定され、これらの各々が、周辺縁領域を有し、該シートが少なくとも該周辺領域に沿って共に封着されている、請求項１に記載の方法。
【請求項８】  前記流体が水である、請求項１に記載の方法。
【請求項９】  遠心分離において使用するための使い捨て可能な流体回路であって、該回路が、回転可能な遠心分離プラットフォームと共同するように適合される複数の可撓性プラスチック分離チャンバを備え、該チャンバが、該回路において、並列に流体流動連絡している、使い捨て可能な流体回路。
【請求項１０】  流体から病原体を濃縮するための遠心分離において使用するための使い捨て流体回路であって、該回路が、回転可能な遠心分離プラットフォームと共同するように適合される少なくとも第一可撓性プラスチック分離チャンバおよび第二可撓性プラスチック分離チャンバを備え、該チャンバが、該回路において、直列に流体流動連絡しており、該チャンバの各々が、該チャンバを通る流体流動についてここで規定された流路を有し、該第一チャンバが、ここで濃縮された粒子を取り出すための流路を備え、そして該第二チャンバが、該第一チャンバから、プロセスした流体を受容するために適用され、かつ実質的に均一な流体流動を規定するために、そこに流路を有する、使い捨て流体回路。
【請求項１１】  各チャンバが、別個の可撓性プラスチック容器を備える、請求項１０に記載の流体回路。
【請求項１２】  各チャンバが、単一統合可撓性プラスチック容器のサブチャンバを備える、請求項１０に記載の流体回路。
【請求項１３】  流体から病原体を濃縮するための遠心分離において使用するための使い捨て流体回路であって、該回路は、回転可能な遠心分離プラットフォームと共同するように適合される少なくとも第一可撓性プラスチック分離チャンバおよび第二可撓性プラスチック分離チャンバを備え、該チャンバが、該回路において、直列に流体流動連絡しており、該チャンバの各々が、該チャンバを通る流体流動についてここで規定された流路を有し、該第一チャンバが、該流体において第一分離プロセスを行うために適用され、そして該第二チャンバが、該第一チャンバから、プロセスした流体を受容しかつこのようにプロセスした流体に含まれる病原体を濃縮するために適合され、該流体回路が、沈降増強剤の供給源および試薬流路を備え、該試薬流路が、該プロセスした流体への添加のために、該薬剤供給源と該流体回路における該第一チャンバの下流の流入部位との間を連絡している、使い捨て流体回路。
【請求項１４】  前記流入部位が、前記第一チャンバと前記第二チャンバとの間を連絡する流体流路内にある、請求項１３に記載の使い捨て流体回路。
【請求項１５】  前記流入部位が該第二チャンバ内にある、請求項１３に記載の使い捨て流体回路。
【手続補正書】
【提出日】平成18年1月20日(2006.1.20)
【手続補正１】
【補正対象書類名】特許請求の範囲
【補正対象項目名】全文
【補正方法】変更
【補正の内容】
【特許請求の範囲】
【請求項１】
中空内部を有する本体を具える舌安定化器具であって、この器具を使用者の舌に嵌合させるとき、前記中空内部に使用者の舌の端部が負圧により密着保持されるようになっており、
前記本体は、器具の中空内部への開口を有する入口部と、圧迫可能に拡張した膨大部であって、この膨大部は可撓性の壁部を有し、これにより前記拡張した膨大部を圧迫することができるようになっており、器具を使用者の舌に対して使用する際に膨大部を釈放すると、器具を使用者の舌に保持する負圧を発生することができるようになっている膨大部とを具えており、
この器具は、使用者の顔と掛合して、舌を前方に保持して使用者の気道を開放するよう補助していびきを低減させる部分を有しており、
これら部分は、前記広がった膨大部の外部から器具の長手方向軸線に対してほぼ垂直に突出している第１タブと、この第１タブに対してほぼ反対の方向に突出する第２タブとを有しており、
この器具は、可動性材料から成形された一体ピースの器具であり、
前記タブは、前記膨大部と一体的に成形されており、且つ使用者の上側及び下側の唇の中心領域で使用者の唇に、又は唇と歯との間に接触する位置となるが、口角領域で使用者の唇上に又は唇と歯との間に接触する位置をとらないよう成形されており、
前記入口部が、直径の小さなネック部により前記膨大部に連結しており、この入口部には前記開口から前記ネック部への直径を減らしたテーパが付けられており、
前記開口及び前記入口部は、可撓性で、且つ当該器具全体を通して大きな断面直径を有しており、
この器具の前記中空内部は、前記ネック部においてほぼハート型の断面形状を有する
ことを特徴とする舌安定化器具。
【請求項２】
入口部の下側壁に切り込み部を設けた請求項１に記載の舌安定化器具。
【請求項３】
前記タブの一方又は双方が、前記拡張した膨大部の内部と連通した中空内部を有する請求項１又は２に記載の舌安定化器具。
【請求項４】
前記タブの一方は、前記タブの他方より前記入口に近い、前記膨大部の外側の点から突出している請求項１乃至３のいずれか一項に記載の舌安定化器具。
【請求項５】
前記タブの一方を、前記タブの他方より長くした請求項４に記載の舌安定化器具。
【手続補正２】
【補正対象書類名】明細書
【補正対象項目名】０００８
【補正方法】変更
【補正の内容】
【０００８】
大まかにみると、本発明は、中空内部を有する本体を具える舌安定化器具であって、この器具を使用者の舌に嵌合させるとき、前記中空内部に使用者の舌の端部が負圧により密着保持されるようになっており、前記本体は、器具の中空内部への開口を有する入口部と、圧迫可能に拡張した膨大部であって、この膨大部は可撓性の壁部を有し、これにより前記拡張した膨大部を圧迫することができるようになっており、器具を使用者の舌に対して使用する際に膨大部を釈放すると、器具を使用者の舌に保持する負圧を発生することができるようになっている膨大部とを具えており、この器具は、使用者の顔と掛合して、舌を前方に保持して使用者の気道を開放するよう補助していびきを低減させる部分を有しており、これら部分は、前記広がった膨大部の外部から器具の長手方向軸線に対してほぼ垂直に突出している第１タブと、この第１タブに対してほぼ反対の方向に突出する第２タブとを有しており、この器具は、可動性材料から成形された一体ピースの器具であり、前記タブは、前記膨大部と一体的に成形されており、且つ使用者の上側及び下側の唇の中心領域で使用者の唇に、又は唇と歯との間に接触する位置となるが、口角領域で使用者の唇上に又は唇と歯との間に接触する位置をとらないよう成形されており、前記入口部が、直径の小さなネック部により前記膨大部に連結しており、この入口部には前記開口から前記ネック部への直径を減らしたテーパが付けられており、前記開口及び前記入口部は、可撓性で、且つ当該器具全体を通して大きな断面直径を有しており、この器具の前記中空内部は、前記ネック部においてほぼハート型の断面形状を有することを特徴とする舌安定化器具である。
【手続補正３】
【補正対象書類名】明細書
【補正対象項目名】０００９
【補正方法】削除
【補正の内容】
【手続補正４】
【補正対象書類名】明細書
【補正対象項目名】００１３
【補正方法】変更
【補正の内容】
【００１３】
さらに、器具の中空内部は、図４に示すようにネック部４においてハート型の断面を有する。図３に示すように、切り込み７を器具に形成し、使用者の舌下膜を収容するようにするのが好ましい。